(57)【要約】【課題】筒状部材の端部を確実に密閉することができ、しかも密閉した部分を筒状部材と同等の強度に形成することのできるゴム製袋体及びその製造方法を提供する。【解決手段】筒状部材１０の開口端部が各シート状部材４１，４２によってそれぞれ密閉されるので、各シート状部材４１，４２によって筒状部材１０の開口端部を確実に密閉することができる。また、筒状部材１０の開口端部を密閉する密閉部４３が筒状部材１０と同様の積層構造となり、また、筒状部材１０に気体または液体を充填しても各シート状部材４１，４２の一部に応力集中することがないので、密閉部４３を筒状部材１０と同等の強度に形成することができ、筒状部材１０内からの気体や液体の漏れを長期に亘って防止することができる。【選択図】図１０
2006336334.tif 000002
【特許請求の範囲】
【請求項１】
ゴムシートを偏平筒状に積層して形成されるとともに開口端部を密閉された筒状部材を有するゴム製袋体において、
前記筒状部材の開口端部を覆うことにより密閉する互いに重ね合わせられた複数のシート状部材を備え、
筒状部材の開口端部側を内側のゴムシートが外側のゴムシートよりも筒状部材の軸方向に延出するように段差状に形成するとともに、互いに段差状をなす各ゴムシートに各シート状部材の端部を筒状部材の外周面側からそれぞれ貼付けた
ことを特徴とするゴム製袋体。
【請求項２】
前記各シート状部材を補強層を有するゴムシートから形成した
ことを特徴とする請求項１記載のゴム製袋体。
【請求項３】
ゴムシートを偏平筒状に積層して形成された筒状部材の開口端部を密閉してなるゴム製袋体の製造方法において、
前記筒状部材の開口端部側を内側のゴムシートが外側のゴムシートよりも筒状部材の軸方向に延出するように段差状に形成し、
筒状部材の開口端部を互いに重ね合わせられた複数のシート状部材によって覆うとともに、互いに段差状をなす各ゴムシートに各シート状部材の端部を筒状部材の外周面側からそれぞれ貼付けることにより筒状部材の開口端部を密閉する
ことを特徴とするゴム製袋体の製造方法。
【請求項４】
前記筒状部材の開口端部側のゴムシートを外周面側から一部除去することにより、筒状部材の開口端部側を段差状に形成する
ことを特徴とする請求項３記載のゴム製袋体の製造方法。
【請求項５】
前記ゴムシートにシート状部材の端部を加硫接着によって貼付ける
ことを特徴とする請求項３または４記載のゴム製袋体の製造方法。
【請求項６】
前記各シート状部材に補強層を有するゴムシートを用いる
ことを特徴とする請求項３、４または５記載のゴム製袋体の製造方法。
【発明の詳細な説明】
【技術分野】
【０００１】
本発明は、オイルフェンス、ゴム堰、防潮扉等に用いられるゴム製袋体に関するものである。
【背景技術】
【０００２】
一般に、この種のゴム製袋体としては、補強層を有するゴムシートを偏平筒状に巻回して形成された筒状部材と、筒状部材の上側及び下側にそれぞれ配置された補強層とゴム部材とからなる一対の外層部材と、筒状部材及び各外層部材を覆うように形成されたゴム部材とからなる長尺状の筒状体を予め成形し、その筒状体を必要に応じた所定の長さに切断するとともに、切断によって開口する筒状部材の開口端部を密閉することにより、内部に所定の気体または液体を充填可能に形成したものが知られている（例えば、特許文献１参照。）。
【０００３】
また、筒状部材の開口端部は、図１３に示すように、筒状部材５０の開口端部近傍の内周面に未加硫ゴム部材から形成された断面Ｖ字形状のシール部材５１を挿入した後、シール部材５１を筒状部材５０とともに加圧しながら加熱し、筒状部材５０の内周面とシール部材５１とを加硫接着することにより密閉される。
【特許文献１】特開平６−３０４５５５号公報
【発明の開示】
【発明が解決しようとする課題】
【０００４】
しかしながら、前記ゴム製袋体では、筒状部材５０とシール部材５１とを隙間なく貼合わせることが難しく、筒状部材５０とシール部材５１との隙間から筒状部材５０内の気体または液体が漏れるという問題点があった。
【０００５】
また、図１４に示すように、筒状部材５０内に気体または液体を充填するとシール部材５１におけるＶ字形状に屈曲した屈曲部５１ａに応力集中するので、筒状部材５０に比べてシール部材５１の強度が低下しやすいという問題点があった。
【０００６】
本発明は前記問題点に鑑みてなされたものであり、その目的とするところは、筒状部材の端部を確実に密閉することができ、しかも密閉した部分を筒状部材と同等の強度に形成することのできるゴム製袋体及びその製造方法を提供することにある。
【課題を解決するための手段】
【０００７】
本発明は前記目的を達成するために、ゴムシートを偏平筒状に積層して形成されるとともに開口端部を密閉された筒状部材を有するゴム製袋体において、前記筒状部材の開口端部を覆うことにより密閉する互いに重ね合わせられた複数のシート状部材を備え、筒状部材の開口端部側を内側のゴムシートが外側のゴムシートよりも筒状部材の軸方向に延出するように段差状に形成するとともに、互いに段差状をなす各ゴムシートに各シート状部材の端部を筒状部材の外周面側からそれぞれ貼付けている。
【０００８】
これにより、筒状部材の開口端部が互いに重ね合わせられた複数のシート状部材によって覆われるとともに、各シート状部材の端部がそれぞれ筒状部材の各ゴムシートに貼付けられることから、筒状部材の開口端部が各シート状部材によってそれぞれ密閉される。また、各シート状部材は互いに重ね合わせられて筒状部材の各ゴムシートにそれぞれ貼付けられることから、筒状部材の開口端部を密閉する部分が筒状部材と同様の積層構造となる。さらに、各シート状部材が各ゴムシートに筒状部材の外周面側からそれぞれ貼付けられることから、各ゴムシートに貼付ける際に各シート状部材を鋭角状に折り曲げる必要がなく、筒状部材内に所定の気体または液体を充填しても各シート状部材の一部に応力集中することがない。
【０００９】
また、本発明は、ゴムシートを偏平筒状に積層して形成された筒状部材の開口端部を密閉してなるゴム製袋体の製造方法において、前記筒状部材の開口端部側を内側のゴムシートが外側のゴムシートよりも筒状部材の軸方向に延出するように段差状に形成し、筒状部材の開口端部を互いに重ね合わせられた複数のシート状部材によって覆うとともに、互いに段差状をなす各ゴムシートに各シート状部材の端部を筒状部材の外周面側からそれぞれ貼付けることにより筒状部材の開口端部を密閉するようにしている。
【００１０】
これにより、筒状部材の開口端部が互いに重ね合わせられた複数のシート状部材によって覆われるとともに、各シート状部材の端部がそれぞれ筒状部材の各ゴムシートに貼付けられることから、筒状部材の開口端部が各シート状部材によってそれぞれ密閉される。また、各シート状部材は互いに重ね合わせられて筒状部材の各ゴムシートにそれぞれ貼付けられることから、筒状部材の開口端部を密閉する部分が筒状部材と同様の積層構造となる。さらに、各シート状部材が各ゴムシートに筒状部材の外周面側からそれぞれ貼付けられることから、各ゴムシートに貼付ける際に各シート状部材を鋭角状に折り曲げる必要がなく、筒状部材内に所定の気体または液体を充填しても各シート状部材の一部に応力集中することがない。
【発明の効果】
【００１１】
本発明によれば、筒状部材の開口端部が各シート状部材によってそれぞれ密閉されるので、筒状部材の端部を確実に密閉することができる。また、筒状部材の開口端部を密閉する部分が筒状部材と同様の積層構造となり、また、筒状部材内に気体または液体を充填しても各シート状部材の一部に応力集中することがないので、筒状部材の開口端部を密閉する部分を筒状部材と同等の強度に形成することができ、筒状部材内からの気体や液体の漏れを長期に亘って防止することができる。
【発明を実施するための最良の形態】
【００１２】
図１乃至図１０は本発明の一実施形態を示すもので、図１は筒状体の構成部品を示す幅方向断面図、図２は筒状体の幅方向断面図、図３は切断部近傍のゴム部材及び各外層部材を除去した筒状体の要部斜視図、図４は筒状部材の外周面側のゴムシートを一部除去した筒状体の要部斜視図、図５は筒状部材の開口端部に第１未加硫シート状部材を貼付ける前の状態を示す筒状体の要部斜視図、図６は筒状部材の開口端部に第１未加硫シート状部材を貼付けた状態を示す筒状体の要部斜視図、図７は筒状部材の開口端部に第２未加硫シート状部材を貼付ける前の状態を示す筒状体の要部斜視図、図８は筒状部材の開口端部に第２未加硫シート状部材を貼付けた状態を示す筒状体の要部斜視図、図９は筒状部材の開口端部近傍に未加硫ゴム部材及び外層部材を貼付ける状態を示す筒状体の要部斜視図、図１０は各シート状部材を筒状部材に加硫接着によって貼付けた状態を示すゴム製袋体の長手方向断面図である。
【００１３】
本実施形態のゴム製袋体は、図１に示すように、未加硫ゴムシート１１’を偏平筒状に複数回に亘って巻回してなる未加硫筒状部材１０’と、未加硫筒状部材１０’の上側及び下側に配置されたシート状の未加硫外層部材２０’と、未加硫筒状部材１０’及び各未加硫外層部材２０’の外側に配置された複数の未加硫ゴム部材３０’と、未加硫筒状部材１０’内に設けられた未加硫離型シート４０’とを図示しない加硫型内に配置し、加硫型を加圧しながら加熱することにより長尺状の筒状体１を予め成形し（図２参照）、筒状体１を必要に応じた所定の長さに切断するとともに、切断によって開口する筒状部材１０の開口端部を密閉することにより製造される。
【００１４】
未加硫ゴムシート１１’は、ポリエステルやポリアミド等の繊維からなる補強層と、補強層を被覆する天然ゴムや合成ゴムからなるゴム材料とから形成されている。
【００１５】
各未加硫外層部材２０’は、ポリエステルやポリアミド等の繊維からなる補強層と、補強層を被覆する天然ゴムや合成ゴムからなるゴム材料とから形成されている。
【００１６】
各未加硫ゴム部材３０’は天然ゴムや合成ゴムからなるゴム材料から形成されている。
【００１７】
未加硫離型シート４０’は、上面が未加硫筒状部材１０’の内周面と加硫接着しないゴム材料から形成され、下面が未加硫筒状部材１０’の内周面と加硫接着するゴム材料から形成されている。
【００１８】
また、前述のように製造された筒状体１は、図２に示すように、補強層を有するゴムシート１１を偏平筒状に複数回に亘って巻回してなる筒状部材１０と、筒状部材１０の上側及び下側にそれぞれ配置された一対のシート状の外層部材２０と、筒状部材１０及び各外層部材２０を覆うように形成されたゴム部材３０と、筒状部材１０の内周面における下側の面に加硫接着した離型シート４０とを備えており、離型シート４０の上面と筒状部材１０との間に隙間１０ａが形成され、筒状部材１０内に所定の気体または液体を充填可能になっている。
【００１９】
長尺状の筒状体１からゴム製袋体を製造する製造方法は、先ず、筒状体１を必要に応じた所定の長さに切断するとともに、筒状体１の切断部近傍のゴム部材３０及び各外層部材２０を切断部から所定の幅だけ除去し（図３参照）、切断部近傍における筒状部材１０の外側ゴムシート１１ａを露出させる。次に、筒状部材１０の開口端部側の外側ゴムシート１１ａを露出した幅の略半分の幅Ｌだけ全周に亘って一枚除去し（図４参照）、外側ゴムシート１１ａよりも内側に巻回されている内側ゴムシート１１ｂを露出させる。即ち、筒状部材１０の開口端部側を内側ゴムシート１１ｂが外側ゴムシート１１ａよりも筒状部材１０の軸方向に延出する段差状に形成する。
【００２０】
続いて、筒状部材１０の開口端部を第１未加硫シート状部材４１’によって覆い、第１未加硫シート状部材４１’の端部を内側ゴムシート１１ｂに筒状部材１０の外周面側から貼付ける（図５及び図６参照）。また、第２未加硫シート状部材４２’を第１未加硫シート状部材４１’に重ね合わせるとともに、筒状部材１０の開口端部を第２未加硫シート状部材４２’によって覆い、第２未加硫シート状部材４２’の端部を外側ゴムシート１１ａに筒状部材１０の外周面側から貼付ける（図７及び図８参照）。ここで、各未加硫シート状部材４１’，４２’は、ポリエステルやポリアミド等の繊維からなる補強層と、補強層を被覆する天然ゴムや合成ゴムからなるゴム材料とから形成されている。
【００２１】
続いて、第２未加硫シート状部材４２’の上面及び下面に所定の長さに切断された未加硫外層部材２０’をそれぞれ配置するとともに、その外側に所定の大きさに形成された複数の未加硫ゴム部材３０’を配置し、図示しない加硫型内で加圧しながら加熱する。
【００２２】
これにより、図１０に示すように、第１シート状部材４１は筒状部材１０の開口端部を閉鎖するとともに、第１シート状部材４１の端部が筒状部材１０の内側ゴムシート１１ｂに加硫接着によって貼付けられる。また、第２シート状部材４２は筒状部材１０の開口端部を閉鎖するとともに、第２シート状部材４２の端部が筒状部材１０の外側ゴムシート１１ａに加硫接着によって貼付けられる。即ち、筒状部材１０の開口端部が各シート状部材４１，４２によってそれぞれ密閉される。また、第１シート状部材４１と第２シート状部材４２とが互いに重ね合わせられて筒状部材１０の各ゴムシート１１ｂ，１１ａにそれぞれ貼付けられ、また、各シート状部材４１，４２は筒状部材１０のゴムシート１１と同様に補強層を有するゴムシートとなるので、筒状部材１０の開口端部を密閉する密閉部４３が筒状部材１０と同様の積層構造となる。さらに、各シート状部材４１，４２は筒状部材１０の各ゴムシート１１ｂ，１１ａに筒状部材１０の外周面側から貼付けられることから、筒状部材１０に貼付けるために各シート状部材４１，４２を鋭角状に折り曲げる必要がなく、筒状部材１０内に所定の気体または液体を充填しても各シート状部材４１，４２の一部に応力集中することがない。
【００２３】
このように、本実施形態によれば、筒状部材１０の開口端部が各シート状部材４１，４２によってそれぞれ密閉されるので、各シート状部材４１，４２によって筒状部材１０の開口端部を確実に密閉することができる。
【００２４】
また、筒状部材１０の開口端部を密閉する密閉部４３が筒状部材１０と同様の積層構造となり、また、筒状部材１０に気体または液体を充填しても各シート状部材４１，４２の一部に応力集中することがないので、密閉部４３を筒状部材１０と同等の強度に形成することができ、筒状部材１０内からの気体や液体の漏れを長期に亘って防止することができる。
【００２５】
さらに、筒状部材１０の開口端部側の外側ゴムシート１１ａを一部除去することにより、筒状部材１０の開口端部側を段差状に形成するようにしたので、予め長尺状に形成された筒状体１から任意の長さのゴム製袋体を容易に製造することができるとともに、製造したゴム製袋体からの気体や液体の漏れを長期に亘って防止することができる。
【００２６】
また、各シート状部材４１，４２を補強層を有するゴムシートから形成したので、筒状部材１０内からの気体や液体の漏れをより長期に亘って防止することができる、
尚、本実施形態では、ゴムシート１１を二重に巻回してなる筒状部材１０の開口端部に２枚のシート状部材４１，４２を貼付けるようにしたものを示したが、図１１に示すように、ゴムシート１１を三重に巻回してなる筒状部材１０の開口部に３枚のシート状部材を貼付けることも可能である。
【００２７】
詳しくは、先ず筒状部材１０の開口端部を露出させた後、最も外周側に巻回されている第１ゴムシート１１ｃを露出している幅の略２／３の幅だけ全周に亘って１枚除去し、第１ゴムシート１１ｃよりも内側に巻回されている第２ゴムシート１１ｄを露出させる。次に、第２ゴムシート１１ｄを露出している幅の略半分の幅だけ全周に亘って一枚除去し、第２ゴムシート１１ｄよりも内側に巻回されている第３ゴムシート１１ｅを露出させる。続いて、各ゴムシート１１ｅ，１１ｄ，１１ｃにそれぞれシート状部材４４，４５，４６を貼付け、筒状部材１０の開口端部を各シート状部材４４，４５，４６によって閉鎖する。各シート状部材４４，４５，４６は第１シート状部材４１及び第２シート状部材４２と同様のゴムシートである。
【００２８】
このように、筒状部材１０の開口端部側に複数の段差を設けることにより、筒状部材の開口端部を３枚以上のシート状部材によって閉鎖することができる。
【００２９】
また、本実施形態では、１枚のゴムシート１１を複数回に亘って巻回してなる筒状部材１０を用いたものを示したが、図１２に示すように、一回だけ巻回されたゴムシート１１の外周側に一回だけ巻回された他のゴムシート１１が重ね合わせられた筒状部材１０を用いることも可能である。
【００３０】
尚、本実施形態では、筒状体１における切断部のゴム部材３０及び各外層部材２０を除去するとともに、露出した筒状部材１０の外側ゴムシート１１ａを一枚除去して筒状部材１０を段差状に形成し、筒状部材１０に各シート状部材４１，４２を貼付けるようにしたものを示したが、筒状体１の成形において内側ゴムシート１１ｂを外側ゴムシート１１ａよりも筒状部材１０の軸方向に延出させるとともに、筒状部材１０の開口端部側が露出するように各外層部材２０及びゴム部材３０を形成することにより、筒状部材１０の開口端部を密閉する際にゴム部材３０、各外層部材２０及びゴムシート１０を除去する手間を省くことも可能である。
【００３１】
また、本実施形態では、各シート状部材４１，４２を加硫接着により筒状部材１０に貼付けるようにしたものを示したが、各シート状部材４１，４２を接着剤によって筒状部材１０に貼付けることも可能である。
【図面の簡単な説明】
【００３２】
【図１】本発明における一実施形態を示す筒状体の構成部品を示す幅方向断面図
【図２】筒状体の幅方向断面図
【図３】切断部近傍のゴム部材及び各外層部材を除去した筒状体の要部斜視図
【図４】筒状部材の外周面側のゴムシートを一部除去した筒状体の要部斜視図
【図５】筒状部材の開口端部に第１未加硫シート状部材を貼付ける前の状態を示す筒状体の要部斜視図
【図６】筒状部材の開口端部に第１未加硫シート状部材を貼付けた状態を示す筒状体の要部斜視図
【図７】筒状部材の開口端部に第２未加硫シート状部材を貼付ける前の状態を示す筒状体の要部斜視図
【図８】筒状部材の開口端部に第２未加硫シート状部材を貼付けた状態を示す筒状体の要部斜視図
【図９】筒状部材の開口端部近傍に未加硫ゴム部材及び外層部材を貼付ける状態を示す筒状体の要部斜視図
【図１０】各シート状部材を筒状部材に加硫接着によって貼付けた状態を示すゴム製袋体の長手方向断面図
【図１１】本実施形態における筒状部材の開口端部の変形例を示すゴム製袋体の長手方向断面図
【図１２】本実施形態における筒状部材の変形例を示す筒状体の幅方向断面図
【図１３】開口端部の近傍にシール部材を貼付けた状態を示す従来のゴム製袋体における筒状部材の長手方向断面図
【図１４】内部に気体を充填した状態を示す従来のゴム製袋体における筒状部材の長手方向断面図
【符号の説明】
【００３３】
１…筒状体、１０…筒状部材、１０ａ…隙間、１０’…未加硫筒状部材、１１…ゴムシート、１１ａ…外側ゴムシート、１１ｂ…内側ゴムシート、１１ｃ…第１ゴムシート、１１ｄ…第２ゴムシート、１１ｅ…第３ゴムシート、１１’…未加硫ゴムシート、２０…外層部材、２０’…未加硫外層部材、３０…ゴム部材、３０’…未加硫ゴム部材、４０…離型シート、４０’…未加硫離型シート、４１…第１シート状部材、４１’…第１未加硫シート状部材、４２…第２シート状部材、４２’…第２未加硫シート状部材、４３…密閉部、４４…シート状部材、４５…シート状部材、４６…シート状部材。
【図１】
2006336334.tif 000003
【図２】
2006336334.tif 000004
【図３】
2006336334.tif 000005
【図４】
2006336334.tif 000006
【図５】
2006336334.tif 000007
【図６】
2006336334.tif 000008
【図７】
2006336334.tif 000009
【図８】
2006336334.tif 000010
【図９】
2006336334.tif 000011
【図１０】
2006336334.tif 000012
【図１１】
2006336334.tif 000013
【図１２】
2006336334.tif 000014
【図１３】
2006336334.tif 000015
【図１４】
2006336334.tif 000016